(57)【要約】      （修正有）【課題】構造が簡単で、設計が合理的で、コンパクトで、持ち運びに便利な直接挿入式ＬＥＤランプを提供する。【解決手段】ランプ本体１、ランプ本体１の前面に設置されたランプシェード２、ランプ本体１の両面に設置された固定ロッド５を含み、固定ロッド５の最上部にツイストレンチ４が設置され、ツイストレンチ４の側面に締め付け用ネジが設置され、締め付け用ネジは固定ロッド５を貫通して、ランプ本体１表面に固定させ、ツイストレンチ４を通して、締め付け用ネジを回して固定ロッド５の緩めと締めをコントロールできる。固定ロッド５の尾部に接続ソケット７が連結され、接続ソケット７の最上部にプラグ８があり、ランプ本体１の内部にランプソケット９、ブレーカーと電流トランスが設置され、更にランプソケット９、ブレーカーと電流トランスは伝導板を通して順次に連結され、電流トランスは配線６を通して、接続ソケット７と繋ぐ。【選択図】図１
0003191425.tif 000002
【実用新案登録請求の範囲】
【請求項１】
直接挿入式LEDランプであり、その特徴は：ランプ本体、ランプ本体の前面に設置されたランプシェード、ランプ本体の両面に設置された固定ロッドを含み、固定ロッドの最上部にツイストレンチが設置され、ツイストレンチの側面に締め付け用ネジが設置され、締め付け用ネジは固定ロッドを貫通して、ランプ本体に固定させ、固定ロッドの尾部に接続ソケットが連結され、接続ソケットの最上部にプラグがあり、ランプ本体の内部にランプソケット、ブレーカーと電流トランスが設置され、更にランプソケット、ブレーカーと電流トランスは伝導板を通して順次に連結され、電流トランスは配線を通して、接続ソケットと繋ぐことを特徴とする直接挿入式LEDランプ。
【請求項２】
請求項１に記載の直接挿入式LEDランプにおいて、その特徴は：ランプシェードの内部にLEDライトが設置され、更に、LEDライトの下部はランプ本体の前面を貫通して、ランプソケットと繋いで固定することを特徴とする直接挿入式LEDランプ。
【請求項３】
請求項１に記載の直接挿入式LEDランプにおいて、その特徴は：ランプシェードとランプ本体はネジ接続で連結することを特徴とする直接挿入式LEDランプ。
【請求項４】
請求項１に記載の直接挿入式LEDランプにおいて、その特徴は：ランプシェードはアルミ合金で造られることを特徴とする直接挿入式LEDランプ。
【考案の詳細な説明】
【技術分野】
【０００１】
本実用新案はある種の直接挿入式LEDランプに関わる。
【背景技術】
【０００２】
既存技術におけるLEDランプの体積は大きく、日常の使用において、持ち運びし難く、更に内部部品を保護できなく、電流の乱れた状態で内部コンポーネントの損壊が良く発生する。或いはその他の危険を招き、安全性が非常に低い。
【考案の概要】
【考案が解決しようとする課題】
【０００３】
本実用新案の解決したい技術課題とはある種の構造が簡単で、設計が合理的で、コンパクトで、持ち運びに便利な直接挿入式LEDランプを提供することである。
【課題を解決するための手段】
【０００４】
上述した課題を解決する為、本実用新案は以下の技術案を採用する：ある種の直接挿入式LEDランプであり、その特徴は：ランプ本体、ランプ本体の前面に設置されたランプシェード、ランプ本体の両面に設置された固定ロッドを含み、固定ロッドの最上部にツイストレンチが設置され、ツイストレンチの側面に締め付け用ネジが設置され、締め付け用ネジは固定ロッドを貫通して、ランプ本体に固定させ、固定ロッドの尾部に接続ソケットが連結され、接続ソケットの最上部にプラグがあり、ランプ本体の内部にランプソケット、ブレーカーと電流トランスが設置され、更にランプソケット、ブレーカーと電流トランスは伝導板を通して順次に連結され、電流トランスは配線を通して、接続ソケットと繋ぐ。
【０００５】
最適な技術案として、ランプシェードの内部にLEDライトが設置され、更に、LEDライトの下部はランプ本体の前面を貫通して、ランプソケットと繋いで固定する。
【０００６】
最適な技術案として、ランプシェードとランプ本体はネジ接続で連結する。
【０００７】
最適な技術案として、ランプシェードはアルミ合金で造られる。
【考案の効果】
【０００８】
本実用新案の有益な効果は：本実用新案の構造は簡単で、簡単に生産でき、コンパクトで持ち運びに便利であり、更に内部コンポーネントによる効果的な保護作用が果たせる。使用においてLEDランプの角度を調整でき、日常使用に便利である。
【図面の簡単な説明】
【０００９】
【図１】本実用新案の直接挿入式LEDランプの構造図である。
【図２】本実用新案の直接挿入式LEDランプの内部構造図である。
【考案を実施するための形態】
【００１０】
図１と図2に示したある種の直接挿入式LEDランプに従って、ある種の直接挿入式LEDランプはランプ本体１、ランプ本体１の前面に設置されたランプシェード２、ランプ本体１の両面に設置された固定ロッド５を含み、固定ロッド５の最上部にツイストレンチ４が設置され、ツイストレンチ４の側面に締め付け用ネジ（図に示されなかった）が設置され、締め付け用ネジ（図に示されなかった）は固定ロッド５を貫通して、ランプ本体１表面に固定させ、ツイストレンチ４を通して、締め付け用ネジ（図に示されなかった）を回して固定ロッド５の緩めと締めをコントロールでき、ランプの角度の調整をできる。固定ロッド５の尾部に接続ソケット７が連結され、接続ソケット７の最上部にプラグ８があり、ランプ本体１の内部にランプソケット９、ブレーカー11と電流トランス12が設置され、更にランプソケット９、ブレーカー11と電流トランス12は伝導板10を通して順次に連結され、電流トランス12は配線６を通して、接続ソケット７と繋ぐ。電流トランス12は外部電圧を変換して、LEDライトに適応する電圧を取得できる。電流または電圧が大きすぎる場合、ブレーカー10は自動的にパワーオフをして、危険下げ、更に効果的に内部コンポーネントを保護する。
【００１１】
最適な技術案として、ランプシェード２の内部にLEDライト３が設置され、更に、LEDライト３の下部はランプ本体１の前面を貫通して、ランプソケット９と繋いで固定する。
【００１２】
最適な技術案として、ランプシェード２とランプ本体１はネジ接続で連結する。分解、内部のLEDライト３の交換、また内部を掃除することに便利である。
【００１３】
最適な技術案として、ランプシェード２はアルミ合金で造られる。アルミ合金は軽量で、放熱効果も良く、効果的に本装置の重量を減らす。
【００１４】
本実用新案の有益な効果は：本実用新案の構造は簡単で、簡単に生産でき、コンパクトで持ち運びに便利であり、更に内部コンポーネントによる効果的な保護作用が果たせる。使用においてLEDランプの角度を調整でき、日常使用に便利である。
【００１５】
以上は本実用新案の具体的な実施方式を示しただけで、本実用新案の保護範囲はそれまでに制限されるではなく、何れの創造的な労働を通さなかった変化や入れ替えは、全て本実用新案の保護範囲に含まれる。従って、本実用新案の要求された保護範囲は権利要求書の定義に準じる。
【符号の説明】
【００１６】
１ ランプ本体
２ ランプシェード
４ ツイストレンチ
５ 固定ロッド
６ 配線
７ 接続ソケット
８ プラグ
９ ランプソケット
11 ブレーカー
12 電流トランス
【図１】
0003191425.tif 000003
【図２】
0003191425.tif 000004